(57)【要約】【課題】  容器内の密封を安定して維持することができるとともに、キャップと容器を分別廃棄する際に、弱い力で簡単にキャップを外すことができるようにしたヒンジキャップを提供すること。【解決手段】  容器口筒部に取着されるヒンジキャップにおいて、キャップ本体は、注出筒と、上壁と外筒、内筒とを具えた係合筒部とからなり、外筒は、外周壁部と連結壁部とからなり、外周壁部は、容器口筒部に係合する上係合壁部と、上係合壁部の下端内縁に垂設され、上下方向で変形可能であるとともに、切断可能な横弱化壁部と、横弱化壁部の下端に垂設された下係合壁部とからなり、下係合壁部の内周には、係合突条が設けられ、連結壁部は、連結部と、連結部の側端から外周壁部の他側端まで延びる内壁部と、外壁部とを具え、内壁部と下係合壁部との連設部と、外壁部と連結部との連設部と、外壁部と上係合壁部との連設部とが切断可能なことを特徴とする。【選択図】  図１
2010149889.tif 000002
【特許請求の範囲】
【請求項１】
容器口筒部に取着されるキャップ本体と上蓋とからなるヒンジキャップにおいて、
容器口筒部の外周には、係合突部が設けられ、
キャップ本体は、注出筒と、上壁と外筒、内筒とを具えた係合筒部とからなっており、
外筒は、外周壁部と連結壁部とからなっており、
外周壁部は、容器口筒部に係合する上係合壁部と、上係合壁部の下端内縁に垂設され、上下方向で変形可能であるとともに、切断可能な横弱化壁部と、横弱化壁部の下端に垂設された下係合壁部とからなり、
下係合壁部の内周には、上部が係合突部の下端に係合する係合突条が設けられ、
連結壁部は、連結部と、連結部の側端から外周壁部の他側端まで延びる内壁部と、外壁部とを具え、外壁部の外周上端にはヒンジが連設され、
内壁部と下係合壁部との連設部と、外壁部と連結部との連設部と、外壁部と上係合壁部との連設部とが切断可能なことを特徴とするヒンジキャップ。
【請求項２】
容器口筒部の係合突部は、一定の高さを有する平坦面によって構成されていることを特徴とする請求項１記載のヒンジキャップ。
【請求項３】
外壁部と連結部との間に間隙を形成するとともに、破断可能な弱化片により連設されていることを特徴とする請求項１または２記載のヒンジキャップ
【発明の詳細な説明】
【技術分野】
【０００１】
本発明は、ヒンジキャップ、とくに、廃棄時に、容器から簡単に分別できるヒンジキャップに関するものである。
【背景技術】
【０００２】
内容液を充填した容器口筒部に打栓するキャップにおいて、内容液を全て使用した後に、容器とキャップを分別廃棄できるキャップは、従来より知られている（例えば、特許文献１参照）。
【特許文献１】実開平０７−８２５３号公報
【発明の開示】
【発明が解決しようとする課題】
【０００３】
しかしながら、上記特許文献１記載のキャップでは、キャップ本体（注出栓Ｂ）の外周筒部（周壁２）の一部（破断除去部１２または摘み片２０）を引張り、外周筒部の全体に対して一部のみを変形させているだけであるので、キャップ本体（注出栓）を容器（びんＡ）の口筒部（口部Ａａ）から外す際に強い力が必要であった。
【０００４】
また、打栓の際に、キャップ本体の外周筒部（周壁２）内周の係合突部が、容器口筒部の係合突部外周面に当接し、摺動することにより、外周筒部が下部から押し上げられるとともに、押し広げられるので、弱化部（破断線３）が切断されることがあり、キャップ本体が容器口筒部から外れたり、キャップ本体と容器との密封性を悪くすることがあった。
【０００５】
本発明は、上記問題を解決することを課題とし、容器内の密封を安定して維持することができるとともに、キャップと容器を分別廃棄する際に、弱い力で簡単にキャップを外すことができるようにしたヒンジキャップを提供することを目的とする。
【課題を解決するための手段】
【０００６】
本発明は、上記の課題を解決するため、ヒンジキャップとして、容器口筒部に取着されるキャップ本体と上蓋とからなるヒンジキャップにおいて、容器口筒部の外周には、係合突部が設けられ、キャップ本体は、注出筒と、上壁と外筒、内筒とを具えた係合筒部とからなっており、外筒は、外周壁部と連結壁部とからなっており、外周壁部は、容器口筒部に係合する上係合壁部と、上係合壁部の下端内縁に垂設され、上下方向で変形可能であるとともに、切断可能な横弱化壁部と、横弱化壁部の下端に垂設された下係合壁部とからなり、下係合壁部の内周には、上部が係合突部の下端に係合する係合突条が設けられ、連結壁部は、連結部と、連結部の側端から外周壁部の他側端まで延びる内壁部と、外壁部とを具え、外壁部の外周上端にはヒンジが連設され、内壁部と下係合壁部との連設部と、外壁部と連結部との連設部と、外壁部と上係合壁部との連設部とが切断可能なことを特徴とする構成を採用し、容器口筒部の実施例として、容器口筒部の係合突部は、一定の高さを有する平坦面によって構成されていることを特徴とする構成を採用する。
【０００７】
外壁部と連結部との連設部の実施例として、外壁部と連結部との間に間隙を形成するとともに、破断可能な弱化片により連設されていることを特徴とする構成を採用する。
【発明の効果】
【０００８】
容器口筒部に取着されるキャップ本体と上蓋とからなるヒンジキャップにおいて、キャップ本体は、注出筒と、上壁と外筒、内筒と蓋係合部を具えた係合筒部とからなっており、外筒は、外周壁部と連結壁部とからなっており、外周壁部は、容器口筒部の係合面に一定の締め代をもって係合する上係合壁部と、切断可能な横弱化壁部と、下係合壁部とからなり、連結壁部は、外周壁部の片側端から延びる連結部と、連結部の側端の内側から外周壁部の他側端の内側まで延びる内壁部と、内壁部外周から間隔を置き、連結部の側端の外側から外周壁部の他側端の外側まで延びるとともに、外周上端にヒンジを連設する外壁部とを具え、内壁部と下係合壁部との連設部と、外壁部と連結部との連設部と、外壁部と上係合壁部との連設部とが切断可能であるので、上蓋を引張ることによって、それぞれの連設部および横弱化壁部を簡単に切断し、容器口筒部からキャップを弱い力でも簡単に取り外すことができた。
【０００９】
また、外筒の横弱化壁部が、上下方向で変形可能であるので、打栓時に、下係合壁部が押し上げられるとともに、押し広げられたとしても横弱化壁部が切断されることがなく、さらに、上係合壁部に下係合壁部の変形の影響がなく、上係合壁部と容器口筒部との密封性を確保することができ、高温充填の際に効果がある。
【発明を実施するための最良の形態】
【００１０】
次に、本発明のヒンジキャップについて、図面を参照して説明する。
図１において、Ａは容器、Ｂは容器Ａの口筒部に打栓されるキャップ本体、Ｃはキャップ本体ＢにヒンジＤを介して一体成形された上蓋である。
【００１１】
容器Ａの口筒部１の外周上端部には、キャップ本体Ｂを装着する係合突部２が設けられている。
係合突部２の外周面は、平坦な係合面２ａとなっている。
【００１２】
キャップ本体Ｂは、図１、２に示すように、注出筒５と、注出筒５の外側に連設され、容器の口筒部に装着される係合筒部６を具えている。
【００１３】
注出筒５の内周下部には、隔壁７が設けられており、隔壁７には、プルリング８ａを具え、注出口を開口する除去部８が設けられている。
【００１４】
係合筒部６は、リング状の上壁９と、上壁９の内周縁に垂設される内筒１０と、上壁９の外周縁に垂設され、外周上端の所定の位置にヒンジＤが連設される外筒１１と、上壁９の上部に立設され、上蓋Ｃと係合する蓋係合部１２とからなっている。
内筒１０の下端内方には、環状壁１３が設けられ、環状壁１３の内縁には、注出筒５が連設されている。
【００１５】
外筒１１は、ヒンジＤの反対側に周設される外周壁部１４と、外周壁部１４の両側端１４ａ、１４ｂをつなぐ、ヒンジＤ側の連結壁部１５とからなっている。
【００１６】
外周壁部１４は、上壁９に連設され、内周が容器Ａの係合突部２の係合面２ａに一定の締め代をもって係合する上係合壁部１６と、上係合壁部１６の下端内縁に垂設され、上下方向で変形可能であるとともに、切断可能な横弱化壁部１７と、該横弱化壁部１７の下端に垂設された下係合壁部１８とからなっている。
下係合壁部１８の内周には、上部が係合突部２の下端に係合する係合突条１９が設けられている。
【００１７】
連結壁部１５は、外周壁部１４の側端１４ａから延びる連結部２０と、連結部２０の側端の内側と外周壁部１４の側端１４ｂの内側を連設する内壁部２１と、内壁部２１外周から間隔ａを置いて、外周壁部１４の側端１４ｂの外側から連結部２０の側端の外側に間隙ｂを形成するように延びる外壁部２２とからなっている。
外壁部２２の外周上端にはヒンジＤが連設されている。
【００１８】
内壁部２１と下係合壁部１８との連設部には、切欠により形成された破断可能な下縦弱化部２３が形成されている。
【００１９】
外壁部２２と連結部２０とは、破断可能な弱化片２４を介して連設されている。
【００２０】
外壁部２２と上係合壁部１６との連設部には、破断可能な上縦弱化部２５が形成されている。
【００２１】
上蓋Ｃは、頂壁３０と、頂壁３０の周縁に垂設される外周壁３１とを具えており、頂壁３０下面には、キャップ本体Ｂの注出筒５の内周上部に挿入される内筒３２が垂設されている。
外周壁３１の内周下部には、キャップ本体Ｂの係合筒部６の蓋係合部１２と係合する係合部３３が設けられている。
【００２２】
次に、本発明のヒンジキャップの作用効果について説明する。
本発明は、上蓋Ｃの外周壁３１の係合部３３とキャップ本体Ｂの係合筒部６の蓋係合部１２とを係合させるとともに、上蓋Ｃの内筒３２とキャップ本体Ｂの注出筒５とを係合させ、上蓋Ｃをキャップ本体Ｂに閉蓋した後、容器Ａ内に内容液を充填し、口筒部１に閉蓋したヒンジキャップを上方から打栓する。
【００２３】
本発明のヒンジキャップは、キャップ本体Ｂの外筒１１の外周壁部１４に変形可能な横弱化壁部１７を設けているため、打栓時のキャップ本体Ｂの下係合壁部１８の内周の係合突条１９が、容器Ａの係合突部２の外面に摺接しながら下降していく際に、図３に示すように、横弱化壁部１７で折れ曲がるので、下係合壁部１８が上係合壁部１６に対して押し上げられても、横弱化壁部１７が切れてしまうことを防止することができる。
【００２４】
打栓後には、キャップ本体Ｂの係合筒部６の内筒１０外周と、外筒１１の内周により、容器Ａの口筒部１を挟持するとともに、キャップ本体Ｂの係合突条１９の上部が、容器Ａ口筒部１の係合突部２下端部と係合し、キャップ本体Ｂの抜け落ちを防止して容器Ａの口筒部１に装着される。
また、キャップ本体Ｂの外筒１１の上係合壁部１６の内周が容器Ａの係合突部２の係合面２ａに密着するので、係合面に密着する外筒の肉厚を最大限にとることが可能となり、高温充填されても熱による変形等を防止することができる。
【００２５】
内容液を全て使用した後、ヒンジキャップを容器から取外して分別廃棄する際には、まず、上蓋Ｃを開蓋した後、上蓋Ｃを把持して下後方に引張る。
上蓋Ｃを下後方に引張ると、ヒンジＤを介して、キャップ本体Ｂの係合筒部６の外壁部２２が引張られ、外壁部２２と連結部２０との弱化片２４、および上係合壁部１６との上縦弱化部２５を切断していき、まず、上縦弱化部２５が切断され、ついで、弱化片２４が切断され、図４（ａ）に示すように、外壁部２２が連結壁部１５から離される。
【００２６】
次に、上蓋Ｃを横方向に引張ると、外壁部２２とともに下係合壁部１８の側端１４ｂ側が引張られ、下係合壁部１８と内壁部２１との下縦弱化部２３を切断するとともに、上係合壁部１６との横弱化壁部１７を徐々に切断し、図４（ｂ）に示すように、外筒１１から下係合壁部１８を引き離していく。
【００２７】
下係合壁部１８が、外筒１１から引き離されていくと、下係合壁部１８内周下端の係合突条１９と容器Ａの係合突部２との係合が外れるとともに、下係合壁部１８が連結壁部１５を介して残部の外筒１１に連結された状態となり、さらに、下係合壁部１８を上方に引張ると、キャップ本体Ｂが、容器Ａの口筒部１から簡単に外れて分別廃棄することができる。
【産業上の利用可能性】
【００２８】
本発明は、ヒンジキャップにおいて、打栓時のヒンジキャップの変形によるキャップの破損を防止し、打栓後の容器内の密封を保つことができるとともに、上蓋を引張ることによって、簡単にヒンジキャップを容器口部から取外して、分別廃棄することができるので、各種の内容液の容器の分別廃棄可能のヒンジキャップとして、広く利用することができる。
【図面の簡単な説明】
【００２９】
【図１】本発明ヒンジキャップの説明図で、（ａ）は断面側面図、（ｂ）は下面図である。
【図２】キャップ本体の説明図で、（ａ）はヒンジ側の側面図、（ｂ）は上面図である。
【図３】打栓時のキャップ本体の要部の説明図で、（ａ）は容器口筒部にキャップ本体の係合突条が摺動時、（ｂ）は摺動終了時である。
【図４】上蓋を引張った時の説明図で、（ａ）外壁部が連結壁部から離れた時、（ｂ）は横弱化部切断時である。
【符号の説明】
【００３０】
Ａ          容器
Ｂ          キャップ本体
Ｃ          上蓋
Ｄ          ヒンジ
ａ          間隔
ｂ          間隙
１          口筒部
２          係合突部
２ａ        係合面
５          注出筒
６          係合筒部
７          隔壁
８          除去部
８ａ        プルリング
９          上壁
１０        内筒
１１        外筒
１２        蓋係合部
１３        環状壁
１４        外周壁部
１４ａ、１４ｂ    側端
１５        連結壁部
１６        上係合壁部
１７        横弱化壁部
１８        下係合壁部
１９        係合突条
２０        連結部
２１        内壁部
２２        外壁部
２３        下縦弱化部
２４        弱化片
２５        上縦弱化部
３０        頂壁
３１        外周壁
３２        内筒
３３        係合部
【図１】
2010149889.tif 000003
【図２】
2010149889.tif 000004
【図３】
2010149889.tif 000005
【図４】
2010149889.tif 000006